(57)【要約】【課題】マウスの上ハウジングに設けられたタッチパネルを利用するとともに、回路板上の切り替え素子による回路の切り替えにより、機械式及びタッチ式の操作モードの相互切り替えの効果が得られ、資源の節約、コストの低減、利用性の向上、操作モードの簡素化等の利点を有するマウスを提供する。【解決手段】ユーザが電子装置を制御するためのタッチパネル１２を有するマウス１であって、上ハウジング１１１及びベース体１１２を有し、前記上ハウジング１１１の先端部に少なくとも１つの押しボタンパネル１１１１が設けられた本体１１と、前記上ハウジング１１１上に設けられたタッチパネル１２と、切り替え素子１３２が設けられ、タッチパネル１２が上ハウジング１１１の先端側にシフト可能に設けられ、機械式のマウス押しモードを切り替え素子１３２によりタッチ式のマウス入力モードに変換するための回路板１３と、を含む。【選択図】図２
0003169021.tif 000002
【実用新案登録請求の範囲】
【請求項１】
ユーザが電子装置を制御するためのタッチパネルを有するマウスであって、
先端部に少なくとも１つの押しボタンパネルが設けられた上ハウジングと、該上ハウジングに取り付けられ、収容空間が内方に向けて凹設されたベース体とを有する本体と、
前記収容空間内に設けられ、制御ユニットと、切り替え素子と、先端部に前記押しボタンパネルの底面の下方に対応して位置するよう設けられた少なくとも１つの押しボタンスイッチとを有する回路板と、
前記上ハウジング上に設けられ、前記回路板に電気的に接続された前記タッチパネルと、を含み、
前記タッチパネルは、前記上ハウジングの先端側にシフト可能に設けられ、機械式のマウス押しモードを前記切り替え素子によりタッチ式のマウス入力モードに変換するとともに、前記ユーザが前記タッチパネルにタッチすることによって生成された検知信号は電子信号に変換された後に前記制御ユニットに伝送され、前記制御ユニットが前記電子信号を前記電子装置に対応する作動コマンドに変換することを特徴とするタッチパネルを有するマウス。
【請求項２】
前記押しボタンパネルの近傍には前記上ハウジングを貫通する貫通孔がさらに設けられていることを特徴とする請求項１に記載のタッチパネルを有するマウス。
【請求項３】
前記回路板の先端部に、前記上ハウジングの前記貫通孔を貫通するように設けられ、前記回路板に電気的に接続されたスクロールホイールをさらに含み、前記タッチパネルは前記上ハウジングの先端側にシフトさせた際に前記スクロールホイールを覆うように構成されていることを特徴とする請求項２に記載のタッチパネルを有するマウス。
【請求項４】
前記上ハウジングと前記タッチパネルとは湾曲形状をなし、前記タッチパネルが前記上ハウジングに移動可能又は回転可能に設けられることを特徴とする請求項１ないし３のいずれかに記載のタッチパネルを有するマウス。
【請求項５】
前記ベース体には光ガイド素子と前記ベース体の底面を貫通する貫通孔とが設けられ、前記光ガイド素子が前記貫通孔の上方に設けられていることを特徴とする請求項１ないし４のいずれかに記載のタッチパネルを有するマウス。
【請求項６】
前記回路板には前記光ガイド素子に対応する検知素子が設けられ、前記検知素子と前記光ガイド素子とによって、前記マウスの平面上における反射光源信号を検知するための移動検知モジュールが構成されていることを特徴とする請求項５に記載のタッチパネルを有するマウス。
【請求項７】
前記ユーザが前記タッチパネルにタッチして前記電子装置の表示インタフェースにおけるカーソルの移動を制御できるように、前記ベース体の一端側に設けられ、前記タッチパネルを前記上ハウジングの先端側にシフトさせた際に、前記移動検知モジュールをオフするためのスイッチをさらに含むことを特徴とする請求項６に記載のタッチパネルを有するマウス。
【請求項８】
前記電子装置に信号接続され、前記電子装置の表示インタフェースにおけるカーソルの移動を制御できるように、前記回路板上に設けられた無線接続素子をさらに含み、前記電子装置がポータブル型又はデスクットップ型のコンピュータ装置であることを特徴とする請求項１ないし７のいずれかに記載のタッチパネルを有するマウス。
【請求項９】
前記無線接続素子は、ブルートゥース、赤外線又はその他の無線信号を相互接続により前記電子装置に伝送することを特徴とする請求項８に記載のタッチパネルを有するマウス。
【請求項１０】
前記タッチパネルは、その平面視での面積が前記上ハウジングの平面視での面積よりも小さいことを特徴とする請求項１ないし９のいずれかに記載のタッチパネルを有するマウス。
【請求項１１】
前記上ハウジングは、前記押しボタンパネルの後端側に接続された湾曲形状をなす握り部を有し、前記タッチパネルを前記上ハウジングの先端側にシフトさせた際に、前記握り部の少なくとも一部が外部に露出し、該露出した部分を前記ユーザが把持することにより前記マウスの制御が容易となることを特徴とする請求項１ないし１０のいずれかに記載のタッチパネルを有するマウス。
【請求項１２】
前記ベース体の後端側壁は湾曲形状をなし、前記上ハウジングの握り部は後下方へ湾曲して延在するとともに前記ベース体の後端側壁に滑らかに接続されていることを特徴とする請求項１１に記載のタッチパネルを有するマウス。
【考案の詳細な説明】
【技術分野】
【０００１】
本考案は、マウスに関し、特に機械式及びタッチ式の２つのモードを有し、電子装置（例えばコンピュータ）の表示インタフェースを制御するためのタッチパネルを有するマウスに関するものである。
【背景技術】
【０００２】
電子製品の薄型化の流れに伴い、その操作方式もユーザの習慣に応じて日ごとに変化している。特に、多忙なビジネス時代において、電子製品のヒューマンインターフェイス及び操作の利便性がますます重要となっている。
【０００３】
現在、マウスをコンピュータに接続する場合、単一の方式でしかコンピュータを操作できないことがよくある。具体的に言うと、現在のマウスは、有線又は無線の伝送路を介してコンピュータに接続されるとともに、機械式（押しボタン、スクロールホイール、光学検知モジュール等を含む）又はタッチ式（パネル、光学検知モジュール等を含む）のいずれかの操作方式によりコンピュータを操作する。ユーザは、操作方式が単一のマウスを必要や好みに応じて購入する必要がある。
【０００４】
さらに、現在、コンピュータをプロジェクターと組み合わせてプレゼンテーションを行うことがよくある。プロジェクターがユーザによるプレゼンテーション内容を平面（例えばスクリーン又は壁）上に投射し、ユーザは、マウスを利用してコンピュータを操作してマウスカーソルの表示インタフェースの状態（例えば、マウスの表示インタフェース上における平行移動、ウェブページのスクロール等）を制御する必要がある。この際、操作上の利便性を図るために無線受信器を購入しなければならず、非常に経済的ではない。
【考案の概要】
【考案が解決しようとする課題】
【０００５】
本考案は、上記問題に鑑みてなされたものであり、マウスが機械式又はタッチパネル式のどちらか一つの操作方式しかないという問題を改善したタッチパネルを有するマウスを提供することを目的とする。
【課題を解決するための手段】
【０００６】
上述の問題を解決するために、本考案は、
ユーザが電子装置を制御するためのタッチパネルを有するマウスであって、先端部に少なくとも１つの押しボタンパネルが設けられた上ハウジングと、該上ハウジングに取り付けられ、収容空間が内方に向けて凹設されたベース体とを有する本体と、前記収容空間内に設けられ、制御ユニットと、切り替え素子と、先端部に前記押しボタンパネルの底面の下方に対応して位置するよう設けられた少なくとも１つの押しボタンスイッチとを有する回路板と、前記上ハウジング上に設けられ、前記回路板に電気的に接続された前記タッチパネルとを含み、前記タッチパネルは、前記上ハウジングの先端側にシフト可能に設けられ、機械式のマウス押しモードを前記切り替え素子によりタッチ式のマウス入力モードに変換するとともに、前記ユーザが前記タッチパネルにタッチすることによって生成された検知信号は電子信号に変換された後に前記制御ユニットに伝送され、前記制御ユニットが前記電子信号を前記電子装置に対応する作動コマンドに変換することを特徴とするタッチパネルを有するマウスを提供する。
【考案の効果】
【０００７】
本考案に係るタッチパネルを有するマウスは、上ハウジングに設けられたタッチパネルを利用するとともに、回路板上の切り替え素子による回路の切り替えにより、機械式及びタッチ式の操作モードの相互切り替えが可能で、資源の節約、コストの低減、利用性の向上、操作モードの簡素化等の利点を有する。
【図面の簡単な説明】
【０００８】
【図１】本考案に係るタッチパネルを有するマウスの第１の実施例の立体組み合わせ図である。
【図２】本考案に係るタッチパネルを有するマウスの第１の実施例の立体分解図である。
【図３】本考案に係るタッチパネルを有するマウスの第１の実施例のタッチ式のマウスの使用状態立体図である。
【図４】本考案に係るタッチパネルを有するマウスの第２の実施例の立体組み合わせ図である。
【図５】本考案に係るタッチパネルを有するマウスの第２の実施例の立体分解図である。
【考案を実施するための形態】
【０００９】
図１及び図２は、本考案に係るタッチパネルを有するマウスの第１の実施例の立体組み合わせ図及び立体分解図をそれぞれ示す。図１及び図２を参照して、本考案に係るタッチパネルを有するマウス１は、ユーザがマウス１を利用して電子装置（図示せず）を制御するものであって、本体１１と、タッチパネル１２と、回路板１３とを含む。本体１１は、上ハウジング１１１と、この上ハウジング１１１が取り付けられたベース体１１２とを有し、上ハウジング１１１の先端部には少なくとも１つの押しボタンパネル１１１１が設けられている。ベース体１１２には収容空間１１２１が内方へ向けて凹設され、上ハウジング１１１及びタッチパネル１２は湾曲形状（曲面状）をなし、タッチパネル１２は、上ハウジング１１１に移動可能又は回転可能に設けられている。
【００１０】
タッチパネル１２は、携帯電話のスライドカバー又は回転カバーと類似した構成を採用しており、上ハウジング１１１上に移動可能又は回転可能に設けられている。また、タッチパネル１２の平面視での面積は、上ハウジング１１１の平面視での面積よりも小さい。
【００１１】
ベース体１１２の収容空間１１２１内には、回路板１３が設けられている。この回路板１３には制御ユニット１３１と、切り替え素子１３２と、少なくとも１つの押しボタンスイッチ１３３とが設けられ、押しボタンスイッチ１３３は、回路板１３の先端部に押しボタンパネル１１１１の底面の下方に対応して位置するように設けられている。
【００１２】
本考案においては、２つの押しボタンパネル１１１１及び押しボタンスイッチ１３３を例にして説明し、該２つの押しボタンパネル１１１１の間には上ハウジング１１１を貫通する貫通孔１１１２がさらに設けられている。また、本実施例においては、回路板１３の先端部に設けられるとともに上ハウジング１１１の貫通孔１１１２を貫通するスクロールホイール１４をさらに含み、スクロールホイール１４は、２つの押しボタンスイッチ１３３の間に位置してる。タッチパネル１２は、上ハウジング１１１の先端側にシフト（変位）可能に設けられるとともに、上ハウジング１１１の先端側にシフトさせた際にスクロールホイール１４を覆うように構成されている。また、スクロールホイール１４は、回路板１３に電気的に接続されている。
【００１３】
本実施例のベース体１１２には、光ガイド素子１１２２とその底面を貫通する貫通孔１１２３とがさらに設けられ、光ガイド素子１１２２は、貫通孔１１２３の上方に設けられている。また、ベース体１１２の後端側壁が湾曲形状（曲面状）をなしている。回路板１３には、光ガイド素子１１２２に対応するように検知素子１３４が設けられ、検知素子１３４及び光ガイド素子１１２２がマウス１の平面上における反射光源信号を検知するための移動検知モジュールを構成している。
【００１４】
上ハウジング１１１は、２つの押しボタンパネル１１１１の後端側に接続された後、後下方へ湾曲して延在する湾曲形状（曲面状）をなす握り部１１１３を有している。また、この握り部１１１３は、ベース体１１２の後端側壁に滑らかに接続されている。すなわち、握り部１１１３とベース体１１２とは、マウス１の後端において、連続する滑らかな湾曲凸面を構成している。タッチパネル１２を上ハウジング１１の先端側にシフトさせると、握り部１１１３の少なくとも一部が外部に露出し、この露出した部分をユーザが把持することによりタッチ式のマウス１の制御が容易となる（タッチ式のマウス１の利便性が高まる）。
【００１５】
本実施例に係るタッチパネル１２は、回路板１３に電気的に接続されるとともに上ハウジング１１１の先端側に移動可能又は回転可能に設けられている。切り替え素子１３２は、押しボタンパネル１１１１及びスクロールホイール１４の回路をオフさせることにより、機械式のマウス押しモードをタッチ式のマウス入力モードに変換する。また、ユーザがタッチパネル１２にタッチすることによって生成された検知信号は電子信号に変換された後に制御ユニット１３１に伝送され、制御ユニット１３１が電子信号を電子装置に対する作動コマンドに変換する。
【００１６】
本実施例に係る機械式によるマウス１（図１及び図２参照）は、有線又は無線受信装置によりコンピュータ装置（図示せず）に電気的に接続されており、その操作時に、ユーザが２つの押しボタンパネル１１１１の押圧及び手によるマウス１の移動を行うことによりコンピュータ装置のユーザインタフェースにおけるマウスコンソールを制御する。また、ベース体１１２の貫通孔１１２３を介して光ガイド素子１１２２に検知受信された反射光源信号は、回路板１３上の検知素子１３４に伝送され、信号の変換が行われた後、コンピュータ装置のユーザインタフェースに対してコマンドの実行又はブラウザの動作が行われるほか、マウス１のスクロールホイール１４を利用して機械式押圧又はスクロールモードによりドラッグすることにより、該コンピュータ装置のユーザインタフェースをブラウザ（閲覧）することができる。
【００１７】
また、タッチ式によるマウス１の操作前には、まず、上ハウジング１１１の後端上方に位置するタッチパネル１２を上ハウジング１１１の湾曲状の上面に沿って先端側にシフト（スライド）させ、又はタッチパネル１２と上ハウジング１１１との間に接続された回動機構（図示せず）により、タッチパネル１２を上ハウジング１１１の先端側の上方にシフト（回転）させ、タッチパネル１２の端面とベース体１１２の先端の壁面とを一致させる（面一となるようにする）（図３参照）。なお、図３は本考案に係るタッチパネルを有するマウスの第１の実施例のタッチ式のマウス使用状態の立体図である。この場合、回路板１３上の切り替え素子１３２は、機械式のマウス１の操作用押しボタンパネル１１１１及びスクロールホイール１４の回路をオフし、次に、タッチ式のマウス１のパネル回路をオンする。ユーザがタッチパネル１２にタッチすることによって生成された検知信号は、電子信号に変換された後に回路板１３上の制御ユニット１３１に伝送され、制御ユニット１３１が電子信号を指示コマンドに変換する。例を挙げて具体的に説明すると、ユーザは、タッチ式のマウス１のタッチパネル１２においてウェブページのドラッグ、図示の拡大等の操作を行うことができ、その操作コマンドが電子装置の表示インタフェースに同期的に反映され、タッチパネル１２のタッチ操作によってコンピュータ装置の使用インタフェースを制御することができる（詳しい説明については省略する）。
【００１８】
図４及び図５は、本考案に係るタッチパネルを有するマウスの第２の実施例の立体組み合わせ図及び立体分解図をそれぞれ示す。図４及び図５を参照して、本考案に係る第２の実施例は、回路板１３上に設けられた無線接続素子２０をさらに含むとともに、電子装置に信号受信器（図示せず）が電気的に接続されている。無線接続素子２０は、表示インタフェースにおけるカーソルの移動を制御するために電子装置に信号接続されている。なお、電子装置は、ポータブル型又はデスクットップ型のコンピュータ装置である。
【００１９】
また、本考案に係る第２の実施例は、ベース体１１２の先端側（一端側）に設けられ、タッチ式のマウス１の移動検知モジュール（光ガイド素子１１２２、検知素子１３４を含む）をオフするためのスイッチ４０をさらに含む。ユーザーが操作時にタッチパネル１２を上ハウジング１１１の先端側（図５の上ハウジング１１１の破線箇所参照）にシフトさせると、スイッチ４０がオンとなるため、マウス１の機械式押しボタンがオフとなるとともに、タッチ式押しボタン電気経路が形成される。この状態で、ユーザがタッチパネル１２を操作することにより、電子装置の表示インタフェースにおけるマウスカーソルの移動を同期的に制御するようにコマンドを指示することができ、プレゼンテーションの装置として使用することができる。
【００２０】
上述した無線接続素子２０は、ブルートゥース、赤外線又はその他の無線信号を相互接続により電子装置に伝送する。また、マウス１の先端部には、ユーザがプレゼンテーションを行う際にレーザー光（ｌａｓｅｒ  ｌｉｇｈｔ）により表示したい対象物をガイドできるようにレーザー光ヘッド（図示せず）を設けてもよい。
【符号の説明】
【００２１】
１  マウス
１１  本体
１１１  上ハウジング
１１１１  押しボタンパネル
１１１２  貫通孔
１１１３  握り部
１１２  ベース体
１１２１  収容空間
１１２２  光ガイド素子
１１２３  貫通孔
１２  タッチパネル
１３  回路板
１３１  制御ユニット
１３２  切り替え素子
１３３  押しボタンスイッチ
１３４  検知素子
１４  スクロールホイール
２０  無線接続素子
４０  スイッチ
【図１】
0003169021.tif 000003
【図２】
0003169021.tif 000004
【図３】
0003169021.tif 000005
【図４】
0003169021.tif 000006
【図５】
0003169021.tif 000007